(57)【特許請求の範囲】
【請求項１】
軒樋同士が長手方向端部を互いに突き合わせた状態で配設され、突き合わせられた軒樋の間に跨がって軒樋の内周面に沿うように樋継手が装着された軒樋の接続構造において、樋継手が、溝形状に屈曲した板状の内継手と、該内継手が嵌まり込む形状の凹部が形成された継手カバーと、該継手カバーの凹部内に塗布された接着剤とで構成され、前記内継手の外面を軒樋の内周面に沿わせると共に、前記継手カバーの凹部に内継手を嵌め込んだ状態で軒樋の内周面に沿って装着されていることを特徴とする軒樋の接続構造。
【請求項２】
板状の内継手と継手カバーの凹部が前側部から後側部にかけて幅狭に形成されていることを特徴とする請求項１記載の軒樋の接続構造。
【発明の詳細な説明】
【０００１】
【発明の属する技術分野】
本発明は、軒樋の内側に樋継手が設けられている軒樋の接続構造に関する。
【０００２】
【従来の技術】
従来、軒樋の内側に樋継手が設けられている軒樋の接続構造としては、例えば、特開平２─１６１０５６号公報及び特開平３─２８４４７号公報に記載さているようなものが知られている。
【０００３】
この従来の軒樋の接続構造は、図１０に示すように、外面形状が軒樋ａの内面形状にほぼ一致する形状に成形された薄肉の板状部材から構成された樋継手ｂを接着剤ｃを介して軒樋ａの内周面に沿って装着したものである。
【０００４】
この場合、軒樋ａを樋継手ｂで接続するには、外周面に接着剤ｃが塗布された樋継手ｂを、突き合わせられた軒樋ａの間に跨がって、軒樋ａの後耳部ｄに樋継手ｂの係止凸部ｅを引っ掛けて、矢印ｓの方向に押し込むようにして嵌め込み、軒樋ａの前耳部ｆと樋継手ｂの係止凹部ｇを係合させて軒樋ａの内周面に沿うように取付けて接続している。
【０００５】
【発明が解決しようとする課題】
しかしながら、従来の軒樋の接続構造にあっては、軒先に取付けられた樋同士を接続するときに、軒先と軒樋ａとの間の狭い作業空間で樋継手ｂを取付けることになるので、樋継手ｂを軒樋ａ内に傾けた状態で挿入してから、樋継手ｂを軒樋ａの内方に押し込むようにしている。このときに、樋継手ｂのコーナー部ｈが軒樋ａの内周面と擦れて、樋継手ｂの外周面に塗布されていたコーナー部ｈ付近の接着剤ｃが剥がれることになる。
【０００６】
その結果、接続された軒樋ａと樋継手ｂと間のコーナー部ｉに隙間が生じることになるので、この隙間から軒樋ａ内を流れる雨水が浸入して、突き合わせられた軒樋ａの継ぎ目から雨水が漏れて軒下に落下するという問題があった。
【０００７】
本発明は、このような事情に鑑みて、軒樋の内側に樋継手が設けられている軒樋の接続構造において、軒樋の突き合わせ部からの漏水の発生を防止できる軒樋の接続構造を提供することを目的としている。
【０００８】
【課題を解決するための手段】
このような目的を達成するために、請求項１に記載の発明に係わる軒樋の接続構造（以下、「請求項１の軒樋の接続構造」と記す）は、軒樋同士が長手方向端部を互いに突き合わせた状態で配設され、突き合わせられた軒樋の間に跨がって軒樋の内周面に沿うように樋継手が装着された軒樋の接続構造において、樋継手が、溝形状に屈曲した板状の内継手と、該内継手が嵌まり込む形状の凹部が形成された継手カバーと、該継手カバーの凹部内に塗布された接着剤とで構成され、前記内継手の外面を軒樋の内周面に沿わせると共に、前記継手カバーの凹部に内継手を嵌め込んだ状態で軒樋の内周面に沿って装着されていることを特徴としている。
【０００９】
また、請求項２に記載の発明に係わる軒樋の接続構造（以下、「請求項２の軒樋の接続構造」と記す）は、請求項１記載の軒樋の接続構造において、  板状の内継手と継手カバーの凹部が前側部から後側部にかけて幅狭に形成されている。
【００１０】
【作用】
樋継手が、溝形状に屈曲した板状の内継手と、該内継手が嵌まり込む形状の凹部が形成された継手カバーと、該継手カバーの凹部内に塗布された接着剤とで構成されているので、内継手の外面を軒樋の内周面に沿わて取付けてから、前記継手カバーの凹部に接着剤を塗布して、この凹部に前記内継手が嵌まり込むようにして軒樋の内周面に沿わて取付けると、継手カバーの凹部内の接着剤が流動して内継手の内周面と両側端部を被覆し、接続された軒樋と内継手と間の隙間に浸入して止水する。
これにより、突き合わされた軒樋の継ぎ目からの漏水が防止できる。
【００１１】
【実施例】
次に、本発明の一実施例を、図１〜図６に基づいて説明する。
【００１２】
図１は、本発明の実施例を示す一部切り欠き側断面図である。この軒樋の接続構造は、軒樋１同士が長手方向端部を互いに突き合わせた状態で配設され、突き合わせられた軒樋１の間に跨がって軒樋１の内周面に沿うように樋継手２が設けらている。
【００１３】
軒樋１は押出成形品で、図３に示すように、本体部１０が、平坦な底壁１１の前側部から前側壁１２が立設され、かつ底壁１１の後側部から後側壁１３が立設された溝形断面に形成されている。尚、前側壁１２は外側に向けて段部１２１が形成されるとともに若干膨出して形成され、前記後側壁１３は底壁に対して直角に形成されている。
【００１４】
また、前記前側壁１２の上端には前耳１４が形成されており、この前耳１４は内面側に溝１４１が形成されている。更に、後側壁１３の上端には後耳１５が形成されており、この後耳１５は、内方に向けて突出された係止突起１５１が形成されている。
尚、前記前耳１４の溝１４１及び後耳１５の係止突起１５１は、軒樋１を樋支持具（図示省略）に取り付ける際の取付用溝と突起となる。
【００１５】
樋継手２は、板状の内継手３と継手カバー４とからなり、この内継手３が接着剤５を介して継手カバー４で被覆されている。
【００１６】
内継手３は、図４に示すように、平坦な底壁３１の前側部から前側壁３２が立設され、かつ底壁３１の後側部から後側壁３３が立設され、板状体が屈曲された溝形断面に形成されている。そして、内継手３の外面形状は、前記軒樋１の内面形状と一致する形状に形成されている。
【００１７】
継手カバー４は、図５〜図６に示すように、平坦な底壁４１の前側部から前側壁４２が立設され、かつ底壁４１の後側部から後側壁４３が立設された溝形断面に形成されている。そして、継手カバー４の外面形状は、前記軒樋１の内面形状と一致する形状に形成されるとともに、外周面の中央部に内継手３が嵌まり込む形状で帯状の凹部４４が形成されている。
【００１８】
また、前記継手カバー４の上端には、凹部４４が形成された部分を除いて後向きに断面Ｕ字状に湾曲して係止耳４５が設けられており、下係止片４５１と上係止片４５２とが所定間隔を介して対抗して形成され、上係止片４５２の先端部に上向きに屈曲して係止突起４５３が設けられている。
【００１９】
このような樋継手２で軒樋１を接続するには、先ず、内継手３の外周面に必要に応じて接着剤を塗布して、内継手３の後側壁３３の上端部を軒樋１の耳部１５の根本部に引っ掛けて、軒樋１の内方に押し込むようにして嵌め込み、軒樋１の前耳部１４の付け根の下側に内継手３の前側壁３２の上端を係止させる。このとき、内継手３の後壁側のコーナー部３４が軒樋１の内周面と擦れることになるから、コーナー部３４付近の接着剤が剥がれて接続されることになる。
【００２０】
次に、継手カバー４の外周面に形成されている凹部４４内に接着剤５を塗布してから、継手カバー４の後側壁４３の上端部を軒樋１の耳部１５の根本部に引っ掛けて、軒樋１の内方に押し込むようにして嵌め込み、軒樋１の前耳部１４に継手カバー４の係止突起４５３を係合させる。このとき、継手カバー４の底壁４１の後側部のコーナー部４６が軒樋１の内周面と擦れても、凹部４４のコーナー部４７が内継手３の内周面と擦れることがないから、凹部４４内に塗布されている接着剤は凹部４４のコーナー部４７においても剥がれることがなく、そのまま、接着剤５が内継手３の内周面と両側端面を被覆することになる。
【００２１】
これにより、継手カバー４の凹部４４内に塗布され充填された接着剤５により、内継手３のコーナー部３４付近まで接着剤５が流動し、接続された軒樋１と内継手３と間のコーナー部３４に生じた隙間に浸入して止水することになるので、雨水が樋に流れたときの漏水が防止される。
【００２２】
なお、樋継手４の凹部４４の深さが板状の内継手３の板の厚みよりも僅か大きめに形成されるとともに、凹部４４の幅が内継手３の幅よりも大きめに形成されていると、凹部４４内の接着剤５が流動して内継手３の両側端面の被覆が容易となるので好ましい。
【００２３】
図７〜図８には、本発明軒樋の接続構造に使用される樋継手の他の実施例を示す。
【００２４】
図７において、内継手３ａは平坦な底壁３１ａが前側部から後側部にかけて徐々に幅狭になるように形成されており、この底壁３１ａの前側部から前側壁３２ａが立設され、かつ底壁３１ａの後側部から後側壁３３ａが立設され、後側壁３３ａが前側壁３２ａよりも幅が狭く形成されている。そして、内継手３ａの外面形状は、前記軒樋１の内面形状と一致する形状に形成されている。
【００２５】
また、継手カバー４ａは、図８に示すように、平坦な底壁４１ａの前側部から前側壁４２ａが立設され、かつ底壁４１ａの後側部から後側壁４３ａが立設された溝形断面に形成されている。そして、継手カバー４ａの外面形状は、前記軒樋１の内面形状と一致する形状に形成されるとともに、外周面の中央部に前記内継手３ａが嵌まり込む形状で前側部から後側部にかけて徐々に幅狭とされた凹部４４ａが形成されている。
【００２６】
このような内継手３ａと継手カバー４ａを用いて軒樋１を接続する場合、軒樋１の内側に装着されている内継手３ａの底壁３１ａよりも、継手カバー４ａにおける凹部４４ａのコーナー部４７ａが底壁３１ａの前側部において幅が狭くされているので、継手カバー４ａの底壁４１ａの後側部のコーナー部４６ａが内継手３ａの底癖３１ａの内周面と擦れても、凹部４４ａに塗布されている接着剤は凹部４４ａのコーナー部４７ａにおいても剥がれることがない。更に、継手カバー４ａを軒樋の内方に押し付け、継手カバー４ａのコーナー部４６ａを内継手３ａのコーナー部３４ａに接近させると、コーナー部４６ａが内継手３ａの底壁３１ａの内周面から外れて、軒樋１の内周面と接することになる。
【００２７】
これにより、継手カバー４ａの凹部４４ａ内に塗布され充填された接着剤５により、内継手３ａのコーナー部３４ａでは接着剤５が流動し、接続された軒樋１と内継手３と間のコーナー部３４ａに生じた隙間に浸入して止水することになるので、雨水が樋に流れたときの漏水が防止される。
【００２８】
以上、本発明実施例を図面に基づいて説明してきたが、具体的な構成はこの実施例の限られるものではなく本発明の要旨を逸脱しない範囲の設計変更等があっても本発明に含まれる。
【００２９】
例えば、内継手３の外周面に接着剤を塗布して、軒樋１の内側に装着したが、接着剤を塗布しなくてもよい。
また、継手カバー４は、図９に示すように、凹部４４が形成されている部分を中央から左右に分断するように切断されたものであってもよい。
【００３０】
【発明の効果】
以上説明したように、本発明軒樋の接続構造では、軒樋同士が長手方向端部を互いに突き合わせた状態で配設され、突き合わせられた軒樋の間に跨がって軒樋の内周面に沿うように樋継手が装着された軒樋の接続構造において、樋継手が、溝形状に屈曲した板状の内継手と、該内継手が嵌まり込む形状の凹部が形成された継手カバーと、該継手カバーの凹部内に塗布された接着剤とで構成され、前記内継手の外面を軒樋の内周面に沿わせると共に、前記継手カバーの凹部に内継手を嵌め込んだ状態で軒樋の内周面に沿って装着されているので、軒樋の底壁のコーナー部における隙間が接着剤で被覆されることになるから、軒樋の突き合わせ部からの漏水の発生を防止することができる。
【図面の簡単な説明】
【図１】本発明の軒樋の接続構造の実施例を示す一部切り欠き側断面図である。
【図２】図１におけるＡ−Ａ線矢視の正断面図である。
【図３】本発明の軒樋の接続構造に使用される軒樋の側面図である。
【図４】本発明の軒樋の接続構造に使用される内継手の斜視図である。
【図５】本発明の軒樋の接続構造に使用される継手カバーの一部切り欠き側断面図である。
【図６】同上の継手カバーの斜視図である。
【図７】本発明の軒樋の接続構造の他の実施例に使用される内継手の斜視図である。
【図８】本発明の軒樋の接続構造の他の実施例に使用される継手カバーの斜視図である。
【図９】本発明の軒樋の接続構造に使用される継手カバーの変形例を示す斜視図である。
【図１０】従来の軒樋の接続構造における、樋継手を軒樋に取り付ける状態を説明する側面図である。
【符号の説明】
１            軒樋
２、２ａ      樋継手
３、３ａ      内継手
４、４ａ      継手カバー
４４、４４ａ    凹部
５            接着剤
【図１】
0004452394.tif 000002
【図２】
0004452394.tif 000003
【図３】
0004452394.tif 000004
【図４】
0004452394.tif 000005
【図５】
0004452394.tif 000006
【図６】
0004452394.tif 000007
【図７】
0004452394.tif 000008
【図８】
0004452394.tif 000009
【図９】
0004452394.tif 000010
【図１０】
0004452394.tif 000011